(57)【要約】【課題】衝撃によって破損し易い容器充填商品を安全に輸送することができるようにした商品包装体を提供することである。【解決手段】板状のパッド本体１１ａの片面で底付きの筒状胴部を備える容器充填商品１２を支持し、そのパッド本体１１ａと容器充填商品１２とをフィルム１３による包装により一体化してフィルム包装物１０を形成し、そのフィルム包装物１０を外装用箱体１内に収容する。フィルム包装物１０におけるパッド本体１１ａの両側縁に外装用箱体１の側面パネル４の内側面、前後面パネル２、３の内面および底並びに蓋パネル６，７の内面に衝合する折曲げ片１１ｂを設けて、容器充填商品１２と外装用箱体１の内周面間に間隔を確保すると共に、容器充填商品１２が前後、左右および上下方向に移動するのを防止し、輸送時の振動や衝撃が負荷されても容器充填商品１２が破損するのを防止する。【選択図】図２
2008074460.tif 000002
【特許請求の範囲】
【請求項１】
フィルムによる包装によって板状のパッドと底付きの筒状胴部を備える容器充填商品とを一体化したフィルム包装物と、前記容器充填商品をその底を下として立てた状態のフィルム包装物が収容されると共に、容器充填商品が余裕を持って収容可能な大きさの外装用箱体とからなり、前記フィルム包装物のパッドが、容器充填商品を支持し、外装用箱体の一対の側面パネルの対向内面に対する両側縁の衝合によってフィルム包装物の左右方向の移動を防止するパッド本体と、そのパッド本体の少なくとも一側縁から商品支持面側に略９０°折り曲げられて外装用箱体の側面パネルの内面に重なり、その外装用箱体の前面パネルの内面に対する前縁の衝合によってフィルム包装物の前後方向の移動を防止する折曲げ片とからなり、前記パッドの高さを、その上下縁が外装用箱体の底並びに蓋パネルの内面に衝合して、フィルム包装物の上下方向の移動を防止する高さとした商品包装体。
【請求項２】
前記フィルム包装物が、フィルムによってパッドと容器充填商品が同時に包装された構成からなる請求項１に記載の商品包装体。
【請求項３】
前記フィルム包装物が、フィルムによって包装された容器充填商品とパッドとの接着により一体化された構成からなる請求項１に記載の商品包装体。
【請求項４】
前記パッドが、パッド本体の両側に同方向に向く一対の折曲げ片が設けられた構成からなる請求項１乃至３のいずれかに記載の商品包装体。
【請求項５】
前記パッドが、パッド本体の両側に相反する方向に向く折曲げ片が設けられた構成からなる請求項１乃至３のいずれかに記載の商品包装体。
【請求項６】
前記パッド本体の下縁を折曲げ片の下縁より上位に位置させた請求項１乃至５のいずれかに記載の商品包装体。
【請求項７】
前記フィルム包装物の２つを、パッドのパッド本体が重なり合う状態で外装用箱体内に収納した請求項１乃至６のいずれかに記載の商品包装体。
【発明の詳細な説明】
【技術分野】
【０００１】
この発明は、輸送の段階で商品が損傷し、あるいは破損するのを防止することができるようにした商品包装体に関するものである。
【背景技術】
【０００２】
テレビやラジオ、インターネット、カタログ等の媒体を通じて売買契約された通信販売用の商品は、普通、段ボール箱からなる外装用箱体により包装されて購買者まで輸送される。
【０００３】
上記のような通信販売用の商品は、多種、多様であって大きさや形状が一定しない。この多種、多様な大きさに合わせた段ボール箱等の外装用箱体を用意することになれば、この外装用箱体の種類がばく大なものとなり、コストと、準備の手間がかさむことになる。したがって、大きさの異なる数種の外装用箱体を適当に用意することになる。
【０００４】
そこで、販売会社においては、商品の大きさに応じて事前に用意されている大きさの異なる数種の外装用箱体の中から所定大きさの外装用箱体を選択し、その選択された外装用箱体内に商品を収容して輸送することが行われている。
【０００５】
このとき、外装用箱体と商品との間には空間が生じるため、輸送時の振動や衝撃等によって商品が外装用箱体内で移動して破損する危険がある。その破損防止には、新聞紙や発泡プラスチック、板紙等の緩衝材を挿入することが有効であるが、緩衝材の詰め込みに人手を要し、また、多くの緩衝材を必要とするため、開梱後の廃棄処理に手間がかかる問題がある。
【０００６】
そこで、近年では、特許文献１に記載されているように、外装用箱体の底壁上面に熱収縮性フィルムの長さ方向の略中央部を接着し、その熱収縮性フィルム上に商品を載置し、外装用箱体の上部開口から外側に垂れ下がる熱収縮性フィルムの端末部を商品上に重ね合わせて商品を包み込んだのち、熱収縮性フィルムを加熱収縮させるようにしている。
【０００７】
【特許文献１】特開平１０−３３８２６５号公報
【発明の開示】
【発明が解決しようとする課題】
【０００８】
ところで、特許文献１に記載された商品の包装方法においては、次のような問題点がある。すなわち、商品を包み込む熱収縮性フィルムが外装用箱体の底壁上に予め接着されており、その熱収縮性フィルム上に商品を載置した後、熱収縮性フィルムの端末部を商品上に重ね合わせるようにしているため、商品箱詰めの自動化を行うことができないという不都合がある。
【０００９】
また、特に、縦長な商品の場合、安定性に欠ける。さらに、外装用箱体も一緒にシュリンク装置内に入れてフィルムを収縮させる必要があるため、大きなシュリンク装置を必要とすると共に、収縮効率が悪くなるおそれがある。
【００１０】
ここで、実用新案登録第２５９９３８４号公報には、板状のパッドと商品とを熱収縮性フィルムで包み、その熱収縮性フィルムの熱収縮により、板状のパッドと商品とを一体化した商品包装体が記載されており、その商品包装体を段ボール箱等の外装用箱体の内面に接着することにより、上記のような不都合の解消に効果を挙げることができるものと考えられる。
【００１１】
ところで、上記商品が、ボトルやビン等のように、底付きの胴部を有する破損し易い容器内に液状体が入れられた容器充填商品の場合、その容器充填商品が胴部を横向きとなる倒された状態で外装用箱体内に収納されると、輸送時の振動や衝撃によって容器充填商品が破損するおそれがあり、上記商品を安全に輸送することができない。
【００１２】
この発明の課題は、衝撃によって破損し易い容器充填商品を安全に輸送することができるようにした商品包装体を提供することである。
【課題を解決するための手段】
【００１３】
上記の課題を解決するために、この発明においては、フィルムによる包装によって板状のパッドと底付きの筒状胴部を備える容器充填商品とを一体化したフィルム包装物と、前記容器充填商品をその底を下として立てた状態のフィルム包装物が収容されると共に、容器充填商品が余裕を持って収容可能な大きさの外装用箱体とからなり、前記フィルム包装物のパッドが、容器充填商品を支持し、外装用箱体の一対の側面パネルの対向内面に対する両側縁の衝合によってフィルム包装物の左右方向の移動を防止するパッド本体と、そのパッド本体の少なくとも一側縁から商品支持面側に略９０°折り曲げられて外装用箱体の側面パネルの内面に重なり、その外装用箱体の前面パネルの内面に対する前縁の衝合によってフィルム包装物の前後方向の移動を防止する折曲げ片とからなり、前記パッドの高さを、その上下縁が外装用箱体の底並びに蓋パネルの内面に衝合して、フィルム包装物の上下方向の移動を防止する高さとした構成を採用したのである。
【００１４】
ここで、外装用箱体の蓋パネルの内面に衝合されるパネルの上縁は、パネル本体と折曲げ片のそれぞれの上縁であってもよく、あるいは、パネル本体の上縁と折曲げ片の上縁の内のいずれか一方であってもよい。また、外装用箱体の底パネルの内面に衝合されるパネルの下縁は、パネル本体と折曲げ片のそれぞれの下縁であってもよく、あるいは、パネル本体の下縁と折曲げ片の下縁の内のいずれか一方であってもよい。
【００１５】
また、フィルムは、ストレッチフィルムであってもよく、あるいは、熱収縮性フィルムであってもよい。また、フィルム包装物は、フィルムによってパッドのパッド本体と容器充填商品を同時に包装したものであってもよく、あるいは、フィルムによって包装された容器充填商品を接着によってパッドのパッド本体に一体化したものであってもよい。
【００１６】
この発明に係る商品包装体において、パッド本体の両側のそれぞれに一対の折曲げ片を設けることによって、外装用箱体内でのフィルム包装物の動きを効果的に防止することができ、容器充填商品の破損防止により効果をあげることができる。この場合、一対の折曲げ片は同方向に向く折曲げであってもよく、あるいは、相反する方向に向く折曲げであってもよい。
【００１７】
また、この発明に係る商品包装体において、パッド本体の下縁を折曲げ片の下縁より上位に位置させることによって、容器充填商品の容器の底が外装用箱体の底パネルから浮いた状態で容器を確実に収納保持することができるため、容器の破損防止により効果を挙げることができる。
【００１８】
さらに、フィルム包装物の２つを、パッドのパッド本体が重なり合う状態で外装用箱体内に収納することによって、緩衝効果をより向上させることができると共に、容器充填商品の収納量を高めることができる。
【発明の効果】
【００１９】
上記のように、この発明に係る商品包装体においては、外装用箱体内にフィルム包装物を収容すると、パッドのパッド本体の両側縁が外装用箱体の一対の側面パネルの内面に衝合して、フィルム包装物の左右方向の移動を防止すると共に、折曲げ片の前縁が前面パネルの内面に衝合してフィルム包装物の前後方向の移動を防止し、さらに、パッドの上下縁が外装用箱体の底および蓋パネルの内面に衝合してフィルム包装物の上下方向の移動を防止するため、外装用箱体内に容器充填商品を立てた状態で安定よく収納保持することができ、輸送時の振動や衝撃によって容器充填商品が破損するという不都合の発生はなく、容器充填商品を安全に輸送することができる。
【発明を実施するための最良の形態】
【００２０】
以下、この発明の実施形態を図面に基づいて説明する。図１乃至図５は、この発明に係る商品包装体の第１の実施の形態を示す。図１乃至図３に示すように、商品包装体は、外装用箱体１と、その外装用箱体１内に収容されたフィルム包装物１０とからなる。
【００２１】
外装用箱体１は、段ボール箱からなる。この外装用箱体１は、前面パネル２、後面パネル３および一対の側面パネル４によって形成される四角筒状の箱本体５と、その箱本体５の下部開口縁に連設された４枚の底パネル６と、箱本体５の上部開口縁に連設された４枚の蓋パネル７とからなり、上記蓋パネル７は箱本体５の上部から内部にフィルム包装物１０が収納されると内方に折り曲げられて、粘着テープの貼り付け等によって封緘される。この外装用箱体１は、後述する容器充填商品１２を余裕をもって収容可能な大きさとされている。
【００２２】
フィルム包装物１０は、パッド１１と、そのパッド１１に支持された底付きの筒状胴部を備える容器充填商品１２と、その容器充填商品１２とパッド１１とを同時に包み込んで一体化するフィルム１３とからなる。包装される容器充填商品１２の数と形状、大きさは任意であり、パッド１１は、その外周縁内に包装される容器充填商品１２の全体が収容可能な大きさとされている。
【００２３】
図４に示すように、パッド１１は、段ボールシート等のクッション性を有する板状の材料からなる。このパッド１１は、パッド本体１１ａと、その両側に折り曲げ用の罫線１４を介して連設された一対の折曲げ片１１ｂとからなり、上記パッド本体１１ａの両側縁間の幅寸法は、外装用箱体１の一対の側面パネル４の対向内面間の間隔に略等しい長さとされている。
【００２４】
図４に示すように、容器充填商品１２は、パッド本体１１ａの上面に載置された状態でフィルム１３による包装によってパッド１１に一体化されてフィルム包装物１０とされる。このとき、容器充填商品１２は、パッド本体１１ａの両側縁に平行し、パッド本体１１ａの外周縁内に全体が納まる載置とされる。
【００２５】
ここで、フィルム１３は、ストレッチフィルムであってもよく、あるいは、熱収縮性フィルムであってもよい。熱収縮性フィルムの場合は、パッド本体１１ａと容器充填商品１２とを包み込んだ後にシュリンク装置により熱収縮させて、パッド１１と容器充填商品１２とを一体化する。
【００２６】
図５に示すように、一対の折曲げ片１１ｂは、外装用箱体１の上部から内部にフィルム包装物１０が収納される前段において、パッド本体１１ａの商品支持面側に向けて略９０°折曲げられる。
【００２７】
上記各折曲げ片１１ｂは、外装用箱体１の側面パネル４と略同じ大きさとされている。このため、図１乃至図３に示すように、パッド本体１１ａが外装用箱体１の後面パネル３の内面に重なるフィルム包装物１０の収納状態において、前面パネル２の内面に対向する折曲げ片１１ｂの前縁がその前面パネル２の内面に衝合し、また、パッド本体１１ａの両側縁が外装用箱体１の側面パネル４の対向内面に衝合し、さらに、その上下縁のそれぞれが、外装用箱体１の蓋パネル７および底パネル６の内面に衝合する。これらの衝合によって、フィルム包装物１０は前後、左右および上下方向に移動するのが防止されるように外装用箱体１内にしっかりと固定される。
【００２８】
上記のように、フィルム１３での包装によって容器充填商品１２が一体化される板状のパッド本体１１ａの両側に商品支持面側に向く一対の折曲げ片１１ｂを設けることによって、図５に示すように、外装用箱体１の上部から内部に、容器充填商品１２をその底を下として立てた状態のフィルム包装物１０を収納し、外装用箱体１の蓋パネル７を内側に折り曲げて封緘することにより、図１及び図２に示すように、容器充填商品１２をその底が下に位置する立てた状態で収納することができる。
【００２９】
このとき、一対の折曲げ片１１ｂは外装用箱体１の側面パネル４と略同じ大きさであるため、外装用箱体１内に対するフィルム包装物１０の収容状態で、折曲げ片１１ｂは外装用箱体１の側面パネル４の内面に重なり、また、その前縁が前面パネル２の内面に衝合し、さらに、その上下縁のそれぞれが蓋パネル７および底パネル６の内面に衝合することになる。
【００３０】
なお、折曲げ片１１ｂの上下縁間の高さ寸法は側面パネル４の高さ寸法より
小さくてもよい。また、パネル本体１１ａの上下縁間の高さ寸法は側面パネル４の高さ寸法より小さくてもよい。
【００３１】
即ち、パネル本体１１ａまたは折曲げ片１１ｂの少なくともいずれか一方の少なくとも一部の上縁が外装用箱体１の蓋パネル７の内面に衝合し、また、パネル本体１１ａまたは折曲げ片１１ｂの少なくともいずれか一方の少なくとも一部の下縁が外装用箱体１の底パネル６の内面と衝合するようにして、フィルム包装物１０が外装用箱体１内で上下方向に移動することを防止するようにしてもよい。
【００３２】
このため、容器充填商品１２は外装用箱体１の前面パネル２、底パネル６及び蓋パネル７に対して間隔をあけて収容保持された状態で、上下、左右及び前後方向に移動するのが防止される。したがって、商品包装体の輸送時に振動や衝撃が負荷されても容器充填商品１２は破損するようなことはなく、上記容器充填商品１２を極めて安全に輸送することができる。
【００３３】
図６および図７は、この発明に係る商品包装体の第２の実施の形態を示す。この実施の形態においては、容器充填商品１２をフィルム１３により包装し、そのフィルム包装された容器充填商品１２を接着剤ａによりパッド本体１１ａの片面に接着してフィルム包装物１０とした点で先に述べた第１の実施形態の商品包装体と相違する。
【００３４】
このため、第１の実施の形態と同一のものは同一の符号を付して説明を省略する。
【００３５】
上記のように、容器充填商品１２のみをフィルム１３で包装することができるので、フィルム１３の使用量を少なくすることができ、経済的であると共に、フィルム１３が熱収縮性のフィルムの場合、小型のシュリンク装置でもって熱収縮させることができる。
【００３６】
図８は、この発明に係る商品包装体の第３の実施の形態を示す。この実施の形態においては、パッド本体１１ａの両面で容器充填商品１２を支持してフィルム１３での包装により一体化したものをフィルム包装物１０とし、そのフィルム包装物１０の両側縁に相反する方向に向く一対の折曲げ片１１ｂを設け、一方の折曲げ片１１ｂの前縁を前面パネル２の内面に衝合させ、他方の折曲げ片１１ｂの後縁を後面パネル３の内面に衝合させた点で、第１の実施形態の商品包装体と相違する。
【００３７】
このため、第１の実施の形態と同一のものは同一の符号を付して説明を省略する。
【００３８】
上記第３の実施の形態においても、一対の折曲げ片１１ｂによって容器充填商品１２は外装用箱体１の前面パネル２、後面パネル３、底パネル６及び蓋パネル７に対して間隔をあけて収容保持された状態で、上下、左右及び前後方向に移動するのが防止されるため、商品包装体の輸送時に振動や衝撃が負荷されても容器充填商品１２は破損するようなことはなく、上記容器充填商品１２を極めて安全に輸送することができる。
【００３９】
また、パッド１１の両面で容器充填商品１２を支持することにより、多くの容器充填商品１２を収容保持することができる。
【００４０】
図９(ａ)、(ｂ)はこの発明に係る商品包装体の第４の実施の形態を示す。この実施の形態では、パッド本体１１ａの下縁１１ｃを一対の折曲げ片１１ｂの下縁１１ｄより上位に配置させてこれを短くした点で第１の実施形態の商品包装体と相違する。
【００４１】
このため、第１の実施の形態と同一のものは同一の符号を付して説明を省略する。
【００４２】
第４の実施の形態で示すように、パッド本体１１ａの下縁１１ｃを一対の折曲げ片１１ｂの下縁１１ｄより上位に配置させることによって、パッド本体１１ａの下縁１１ｃに容器充填商品１２の下面が一致し、あるいは、パッド本体１１ａの下縁１１ｃから容器充填商品１２の下面が少し下方に位置する状態でパッド本体１１ａと容器充填商品１２とがフィルム１３により包装されたとしても、フィルム１３が前記下縁１１ｃより下へ下がり難いので、外装用箱体１内に対するフィルム包装物１０の収納状態で容器充填商品１２の下面と底パネル６の上面間に間隔を確実に確保することができ、容器充填商品１２を底パネル６から浮かせた状態に保つことができる。
【００４３】
このため、パッド本体１１ａと容器充填商品１２とをフィルム１３で包装する際に、容器充填商品１２の支持位置に注意を払う必要が少なくなり、フィルム１３による包装の容易化を図ることができると共に、商品包装体の輸送時に振動や衝撃が負荷されても容器充填商品１２は破損しない。
【００４４】
図１０および図１１は、この発明に係る商品包装体の第５の実施の形態を示す。この実施の形態では、外装用箱体１の内部に２つのフィルム包装物１０を、パッド１１のパッド本体１１ａが互いに背中合わせに重なる状態で収納している点で第１の実施形態の商品包装体と相違する。
【００４５】
このため、第１の実施の形態と同一のものは同一の符号を付して説明を省略する。
【００４６】
上記のように、パッド本体１１ａが重なる状態で２つのフィルム包装物１０を外装用箱体１内に収納することによって、緩衝効果をより向上させることができると共に、商品の収納量を高めることができる。
【００４７】
なお、第２乃至第５の実施の形態における場合も、第１の実施の形態の場合と同様に、パネル本体１１ａまたは折曲げ片１１ｂの少なくとも一部の上縁が外装用箱体１の蓋パネル７の内面と衝合し、また、それらの少なくとも一部の下縁が外装用箱体１の底パネル６の内面と衝合するようにしてもよい。また、フィルム包装物１０は筒状胴部を備える容器充填商品１２以外の商品も一緒に包装したものであってもよい。
【図面の簡単な説明】
【００４８】
【図１】この発明に係る商品包装体の第１の実施の形態を示す縦断正面図
【図２】図１のII−II線に沿った断面図
【図３】図１のIII−III線に沿った断面図
【図４】パッドと商品とをフィルムで包装した状態の斜視図
【図５】外装用箱体とフィルム包装物とを示す分解斜視図
【図６】この発明に係る商品包装体の第２の実施の形態を示す縦断正面図
【図７】図６の横断正面図
【図８】この発明に係る商品包装体の第３の実施の形態を示す横断正面図
【図９】（ａ）はこの発明に係る商品包装体の第４の実施の形態を示す縦断正面図、（ｂ）は（ａ）のIXｂ−IXｂ線に沿った断面図
【図１０】この発明に係る商品包装体の第５の実施の形態を示す横断正面図
【図１１】図１０の縦断正面図
【符号の説明】
【００４９】
１      外装用箱体
２      前面パネル
３      後面パネル
４      側面パネル
６      底パネル
７      蓋パネル
１０    フィルム包装物
１１    パッド
１１ａ  パッド本体
１１ｂ  折曲げ片
１１ｃ  下縁
１１ｄ  下縁
１２    容器充填商品
１３    フィルム
【図１】
2008074460.tif 000003
【図２】
2008074460.tif 000004
【図３】
2008074460.tif 000005
【図４】
2008074460.tif 000006
【図５】
2008074460.tif 000007
【図６】
2008074460.tif 000008
【図７】
2008074460.tif 000009
【図８】
2008074460.tif 000010
【図９】
2008074460.tif 000011
【図１０】
2008074460.tif 000012
【図１１】
2008074460.tif 000013